(57)【要約】      （修正有）【課題】ノズル穴から噴射される気体が、ノズル穴の穴中心線から離れる方向に拡散することを抑制して、穴中心線の方向へ噴射される気体の流速を高めることのできる噴射ノズルを提供する。【解決手段】ノズル筒体と、ノズル筒体に形成される複数のノズル穴５を備える。ノズル筒体は、基準線βに対し傾斜角度θ１で傾斜する第１及び第２外周平面７、８と、第１及び第２外周平面７、８を除いた他の外周面９を備える。第１及び第２外周平面７、８は、第１及び第２外周平面７、８の間に角度θをなして、基準線β上の頂点γで交差される。各ノズル穴５は、穴中心線τを頂点γに位置して、ノズル筒体の両ノズル筒端の間に配置される。各ノズル穴５は、基準線βの方向にノズル筒体を貫通し、ノズル筒中心線αの方向に穴間隔を隔てて並列される。【選択図】図６
0003231869.tif 000002
【実用新案登録請求の範囲】
【請求項１】
両ノズル筒端が閉塞された筒状に形成され、一方のノズル筒端又は一方のノズル筒端側から気体が導入されるノズル筒体と、
前記ノズル筒体に形成され、前記ノズル筒体内から気体を噴射する複数のノズル穴と、を備える噴射ノズル器であって、
前記ノズル筒体は、
前記ノズル筒体のノズル筒中心線と直交する筒断面において、同一の幅を有して、前記ノズル筒中心線と直交する基準線に対称に配置される、矩形状の第１及び第２外周平面を備え、
前記第１及び第２外周平面は、
前記筒断面において、前記第１及び第２外周平面の間に５０度以下の角度をなして、前記基準線上の頂点から前記幅を有して傾斜され、
前記ノズル筒中心線の方向に長さを有して前記両ノズル筒端の間に延在され、
前記各ノズル穴は、
前記ノズル穴の穴中心線を前記第１及び第２外周平面の交差する前記頂点に位置して、前記両ノズル筒端の間に配置され、
前記基準線の方向に前記ノズル筒体を貫通して、前記第１及び第２外周平面に開口され、及び前記ノズル筒体内に連通され、
前記ノズル筒中心線の方向に穴間隔を隔てて並列される
ことを特徴とする噴射ノズル器。
【請求項２】
噴射ノズル器、空気清浄機、及び一方の吸込み筒端が閉塞された筒状に形成される吸込み筒体を備え、複数の人の間に配置される飛沫遮断装置であって、
前記噴射ノズル器は、
両ノズル筒端が閉塞された筒状に形成され、一方のノズル筒端から清浄空気が導入されるノズル筒体と、
前記ノズル筒体に形成され、前記ノズル筒体内から清浄空気を噴射する複数のノズル穴と、を備え、
前記ノズル筒体は、
前記ノズル筒体のノズル筒中心線と直交する筒断面において、同一の幅を有して、前記ノズル筒中心線と直交する基準線に対称に配置される、矩形状の第１及び第２外周平面を備え、
前記第１及び第２外周平面は、
前記筒断面において、前記第１及び第２外周平面の間に５０度以下の角度をなして、前記基準線上の頂点から前記幅を有して傾斜され、
前記ノズル筒中心線の方向に長さを有して前記両ノズル筒端の間に延在され、
前記各ノズル穴は、
前記ノズル穴の穴中心線を前記第１及び第２外周平面の交差する前記頂点に位置して、前記両ノズル筒端の間に配置され、
前記基準線の方向に前記ノズル筒体を貫通して、前記第１及び第２外周平面に開口され、及び前記ノズル筒体内に連通され、
前記ノズル筒中心線の方向に穴間隔を隔てて並列され、
前記空気清浄機は、
前記ノズル筒体の一方のノズル筒端、及び前記吸込み筒体の他方の吸込み筒端に接続され、前記吸込み筒体内の空気を吸引及び清浄して、清浄空気を前記ノズル筒体内に吐出し、
前記吸込み筒体は、
両吸込み筒端の間に形成され、前記吸込み筒体内に空気を流入する吸込み穴を有し、
前記吸込み穴を前記ノズル穴に向けて配置され、
前記基準線の方向において、前記ノズル筒体に流れ空間を隔てて、前記ノズル筒体に平行に配置される
ことを特徴とする飛沫遮断装置。
【請求項３】
噴射ノズル器、空気清浄機、及び両吸込み筒端に開口する吸込み穴を有し、一方の吸込み筒端から空気を前記吸込み穴に流入する吸込み筒体を備え、複数の人の間に配置される飛沫遮断装置であって、
前記噴射ノズル器は、
両ノズル筒端が閉塞された筒状に形成され、一方のノズル筒端から清浄空気が導入されるノズル筒体と、
前記ノズル筒体に形成され、前記ノズル筒体内から清浄空気を噴射する複数のノズル穴と、を備え、
前記ノズル筒体は、
前記ノズル筒体のノズル筒中心線と直交する筒断面において、同一の幅を有して、前記ノズル筒中心線と直交する基準線に対称に配置される、矩形状の第１及び第２外周平面を備え、
前記第１及び第２外周平面は、
前記筒断面において、前記第１及び第２外周平面の間に５０度以下の角度をなして、前記基準線上の頂点から前記幅を有して傾斜され、
前記ノズル筒中心線の方向に長さを有して前記両ノズル筒端の間に延在され、
前記各ノズル穴は、
前記ノズル穴の穴中心線を前記第１及び第２外周平面の交差する前記頂点に位置して、前記両ノズル筒端の間に配置され、
前記基準線の方向に前記ノズル筒体を貫通して、前記第１及び第２外周平面に開口され、及び前記ノズル筒体内に連通され、
前記ノズル筒中心線の方向に穴間隔を隔てて並列され、
前記空気清浄機は、
前記ノズル筒体の一方のノズル筒端、及び前記吸込み筒体の他方の吸込み筒端に接続され、前記吸込み穴内の空気を吸引及び清浄して、清浄空気を前記ノズル筒体内に吐出し、
前記吸込み筒体は、
一方の吸込み筒端を前記ノズル穴に向けて配置され、
前記基準線の方向において、一方の吸込み筒端及び前記ノズル筒体の間に流れ空間を隔てて配置される
ことを特徴とする飛沫遮断装置。
【考案の詳細な説明】
【技術分野】
【０００１】
本考案は、複数のノズル穴から気体を噴射する噴射ノズル器、及び噴射ノズル器を用いた飛沫遮断装置に関する。
【背景技術】
【０００２】
一般的に噴射ノズル器は、一方の管端が閉塞され、他方の管端が開口された円筒状のノズル管、及びノズル管に形成された複数の噴出口を有し、各種類の装置、機器に用いられている（特許文献１参照）。複数の噴出口は、ノズル管の管中心線の方向に穴ピッチを隔てて配置され、ノズル管の他方の管端から導入された気体を噴射する。
【先行技術文献】
【特許文献】
【０００３】
【特許文献１】特開２０２０−６３４９０号公報
【考案の概要】
【考案が解決しようとする課題】
【０００４】
従来の噴射ノズル器は、円筒状のノズル管に各噴出口を形成しているので、各噴出口から噴射される気体は、噴出口の中心線から離れる方向に拡散されて、中心線の方向に噴射される気体の流速（流量）が弱められている。
【０００５】
本考案は、各ノズル穴から噴射される気体が、ノズル穴の穴中心線から離れる方向に拡散することを抑制して、穴中心線の方向へ噴射される気体の流速（流量）を高めることのできる噴射ノズル器を提供することにある。
本考案は、噴射ノズル器を用いた飛沫遮断装置を提供することにある。
【課題を解決するための手段】
【０００６】
本考案に係る請求項１は、両ノズル筒端が閉塞された筒状に形成され、一方のノズル筒端又は一方のノズル筒端側から気体が導入されるノズル筒体と、前記ノズル筒体に形成され、前記ノズル筒体内から気体を噴射する複数のノズル穴と、を備える噴射ノズル器であって、前記ノズル筒体は、前記ノズル筒体のノズル筒中心線と直交する筒断面において、同一の幅を有して、前記ノズル筒中心線と直交する基準線に対称に配置される、矩形状の第１及び第２外周平面を備え、前記第１及び第２外周平面は、前記筒断面において、前記第１及び第２外周平面の間に５０度以下の角度をなして、前記基準線上の頂点から前記幅を有して傾斜され、前記ノズル筒中心線の方向に長さを有して前記両ノズル筒端の間に延在され、前記各ノズル穴は、前記ノズル穴の穴中心線を前記第１及び第２外周平面の交差する前記頂点に位置して、前記両ノズル筒端の間に配置され、前記基準線の方向に前記ノズル筒体を貫通して、前記第１及び第２外周平面に開口され、及び前記ノズル筒体内に連通され、前記ノズル筒中心線の方向に穴間隔を隔てて並列されることを特徴とする噴射ノズル器である。
【０００７】
本考案に係る請求項２は、噴射ノズル器、空気清浄機、及び一方の吸込み筒端が閉塞された筒状に形成される吸込み筒体を備え、複数の人の間に配置される飛沫遮断装置であって、前記噴射ノズル器は、両ノズル筒端が閉塞された筒状に形成され、一方のノズル筒端から清浄空気が導入されるノズル筒体と、前記ノズル筒体に形成され、前記ノズル筒体内から清浄空気を噴射する複数のノズル穴と、を備え、前記ノズル筒体は、前記ノズル筒体のノズル中心線と直交する筒断面において、同一の幅を有して、前記ノズル筒中心線と直交する基準線に対称に配置される、矩形状の第１及び第２外周平面を備え、前記第１及び第２外周平面は、前記筒断面において、前記第１及び第２外周平面の間に５０度以下の角度をなして、前記基準線上の頂点から前記幅を有して傾斜され、前記ノズル筒中心線の方向に長さを有して両ノズル筒端の間に延在され、前記各ノズル穴は、前記ノズル穴の穴中心線を前記第１及び第２外周平面の交差する前記頂点に位置して、両ノズル筒端の間に配置され、前記基準線の方向に前記ノズル筒体を貫通して、前記第１及び第２外周平面に開口され、及び前記ノズル筒体内に連通され、前記ノズル筒中心線の方向に穴間隔を隔てて並列され、前記空気清浄機は、前記ノズル筒体の一方のノズル筒端、及び前記吸込み筒体の他方の吸込み筒端に接続され、前記吸込み筒体内の空気を吸引及び清浄して、清浄空気を前記ノズル筒体内に吐出し、前記吸込み筒体は、両吸込み筒端の間に形成され、前記吸込み筒体内に空気を流入する吸込み穴を有し、前記吸込み穴を前記ノズル穴に向けて配置され、前記基準線の方向において、前記ノズル筒に流れ空間を隔てて、前記ノズル筒体に平行に配置されることを特徴とする飛沫遮断装置である。
【０００８】
本考案に係る請求項３は、噴射ノズル器、空気清浄機、及び両吸込み筒端に開口する吸込み穴を有し、一方の吸込み筒端から空気を前記吸込み穴に流入する吸込み筒体を備え、複数の人の間に配置される飛沫遮断装置であって、前記噴射ノズル器は、両ノズル筒端が閉塞された筒状に形成され、一方のノズル筒端から清浄空気が導入されるノズル筒体と、前記ノズル筒体に形成され、前記ノズル筒体内から清浄空気を噴射する複数のノズル穴と、を備え、前記ノズル筒体は、前記ノズル筒体のノズル筒中心線と直交する筒断面において、同一の幅を有して、前記ノズル筒中心線と直交する基準線に対称に配置される、矩形状の第１及び第２外周平面を備え、前記第１及び第２外周平面は、前記筒断面において、前記第１及び第２外周平面の間に５０度以下の角度をなして、前記基準線上の頂点から前記幅を有して傾斜され、前記ノズル筒中心線の方向に長さを有して前記両ノズル筒端の間に延在され、前記各ノズル穴は、前記ノズル穴の穴中心線を前記第１及び第２外周平面の交差する前記頂点に位置して、両ノズル筒端の間に配置され、前記基準線の方向に前記ノズル筒体を貫通して、前記第１及び第２外周平面に開口され、及び前記ノズル筒体内に連通され、前記ノズル筒中心線の方向に穴間隔を隔てて並列され、前記空気清浄機は、前記ノズル筒体の一方のノズル筒端、及び前記吸込み筒体の他方の吸込み筒端に接続され、前記吸込み穴内の空気を吸引及び清浄して、清浄空気を前記ノズル筒体内に吐出し、前記吸込み筒体は、一方の吸込み筒端を前記ノズル穴に向けて配置され、前記基準線の方向において、一方の吸込み筒端及び前記ノズル筒体の間に流れ空間を隔てて配置されることを特徴とする飛沫遮断装置である。
【考案の効果】
【０００９】
本考案に係る噴射ノズル器は、一方のノズル筒端（又は、一方のノズル筒端側）から気体（空気）をノズル筒体内に導入（流入）する。ノズル筒体に導入された空気は、一方のノズル筒端から他方のノズル筒端に向けてノズル筒体内を流れて、ノズル筒体内に充満される。ノズル筒体内は、気体の導入に従って圧力が上昇されて、各ノズル穴から気体が噴射される。各ノズル穴から噴射される気体は、各ノズル穴の穴中心線の方向に流れる。各ノズル穴の周りの気体（空気）は、各ノズル穴から噴射された気体の流れに引っ張れて、第１及び第２外周平面に沿って頂点（穴中心線）に向けて流れて、各ノズル穴から噴射される気体に合流される。各ノズル穴から噴射される気体は、第１及び第２外周平面に沿って穴中心線に向けて流れるノズル穴の周りの流れによって、穴中心線から離れる方向に拡散することが抑制される。
これにより、噴射ノズル器は、各ノズル穴から噴射される気体が、ノズル穴の穴中心線から離れる方向に拡散することを抑制して、穴中心線の方向へ噴射される気体（空気）の流速（流量）を高めることができる。
本考案に係る飛沫遮断装置は、ノズル筒体（噴射ノズル器）の各ノズル穴から清浄空気を流れ空間に噴射して、流れ空間に噴射された清浄空気（空気／気体）を吸込み筒体内に吸込むことで、複数の人の間にノズル筒体（噴射ノズル器）から吸込み筒体に向けて流れるエアーカーテンを形成できる。これにより、飛沫遮断装置は、複数の人の間にエアーカーテンを形成することで、複数の人の口や鼻からの飛沫をエアーカーテンで遮断して、飛沫が対面する人に飛散することを防止できる。複数の人の口や鼻からの飛沫は、エアーカーテンにて遮断及び捕捉されて、エアーカーテンの流れによって吸込み筒体内に吸込まれる。
本考案に係る飛沫遮断装置では、本考案に係る噴射ノズル器を用いることで、各ノズル穴から噴射される清浄空気が、ノズル穴の穴中心線から離れる方向に拡散することを抑制して、各ノズル穴から吸込み筒体に向けて噴射される清浄空気の流速（流量）を高めることができ、確実に、エアーカーテンを流れ空間に形成することが可能となる。
【図面の簡単な説明】
【００１０】
【図１】本考案に係る噴射ノズル器を示す斜視図である。
【図２】本考案に係る噴射ノズル器を示す正面図である。
【図３】本考案に係る噴射ノズル器を示す平面図である。
【図４】本考案に係る噴射ノズル器を示す左側面図である。
【図５】本考案に係る噴射ノズル器を示す右側面図である。
【図６】図３のＡ―Ａ断面拡大図である。
【図７】図３のＢ―Ｂ断面拡大図である。
【図８】図３のＣ―Ｃ断面拡大図である。
【図９】円筒状のノズル筒体を備える噴射ノズル器（比較例１）を示す斜視図である。
【図１０】円筒状のノズル筒体を備える噴射ノズル器（比較例１）を示す平面図である。
【図１１】長方形の筒状のノズル筒体を備える噴射ノズル器（比較例２）を示す斜視図である。
【図１２】長方形の筒状のノズル筒体を備える噴射ノズル器（比較例２）を示す平面図である。
【図１３】図３のＡ―Ａ断面拡大図であって、噴射試験の測定方法を示す図である。
【図１４】図１０のＤ―Ｄ断面図であって、噴射試験の測定方法を示す図である。
【図１５】図１２のＥ−Ｅ断面図であって、噴射試験の測定方法を示す図である。
【図１６】第１実施形態の飛沫遮断装置を示す左上方から見た斜視図である。
【図１７】第１実施形態の飛沫遮断装置を示す左下方から見た斜視図である。
【図１８】第１実施形態の飛沫遮断装置を示す正面図である。
【図１９】第１実施形態の飛沫遮断装置を示す左側面図である
【図２０】図１８のＦ―Ｆ断面図である。
【図２１】第１実施形態の飛沫遮断装置において、吸込み筒体を示す斜視図である。
【図２２】第１実施形態の飛沫遮断装置において、吸込み筒体の各吸込み穴を示す底面図（下面図）である。
【図２３】図２２のＧ部分の拡大図である。
【図２４】図２２のＨ―Ｈ断面拡大図である。
【図２５】（ａ）は、空気清浄機の斜視図、（ｂ）は、空気清浄機の正面図である。
【図２６】図２５（ｂ）のＩ−Ｉ断面図である。
【図２７】第１実施形態の飛沫遮断装置をテーブルに設置した斜視図である。
【図２８】第１実施形態の飛沫遮断装置をテーブルに設置した左側面図である。
【図２９】第２実施形態の飛沫遮断装置を示す左上方から見た斜視図である。
【図３０】第２実施形態の飛沫遮断装置を示す左下方から見た斜視図である。
【図３１】第２実施形態の飛沫遮断装置を示す正面図である。
【図３２】第２実施形態の飛沫遮断装置を示す左側面図である。
【図３３】図３１のＪ―Ｊ断面拡大図である。
【図３４】第２実施形態の飛沫遮断装置をテーブルに設置した斜視図である。
【図３５】第２実施形態の飛沫遮断装置をテーブルに設置した左側面図である。
【考案を実施するための形態】
【００１１】
本考案に係る噴射ノズル器、及び本考案に係る飛沫遮断装置について、図１乃至図３５を参照して説明する。
【００１２】
本考案に係る噴射ノズル器について、図１乃至図１５を参照して説明する。
【００１３】
図１乃至図８において、噴射ノズル器Ｘ（噴射ノズル装置）は、ノズル筒体１、第１閉塞体２、第２閉塞体３、気体導入穴４、及び複数のノズル穴５を備える。
【００１４】
ノズル筒体１は、図１乃至図８に示すように、両ノズル筒端１Ａ，１Ｂが閉塞された筒状に形成される。ノズル筒体１は、一方のノズル筒端１Ａ（又は一方のノズル筒端１Ａ側）から気体（清浄空気）が導入される。
ノズル筒体１は、ノズル筒中心線αの方向ＬＮにノズル筒長さＬを有する。ノズル長さＬは、例えば、９９０ｍｍである（Ｌ＝９９０ｍｍ）。
【００１５】
ノズル筒体１は、図１乃至図６に示すように、矩形状（長方形）の第１及び第２外周平面７，８（第１外周平面７、第２外周平面８）、及び第１及び第２外周平面７，８を除いた他の外周面９を備える。ノズル筒体１の外周（外周面）は、第１及び第２外周平面７，８、及び他の外周面９を備える。
【００１６】
第１及び第２外周平面７，８は、図１乃至図６に示すように、例えば、同一の矩形状の平面（同一の長方形の平面）に形成される。
第１外周平面７、及び第２外周平面８は、図４乃至図６に示すように、ノズル筒体１のノズル筒中心線αと直交する筒断面又は平面（以下、「筒断面」という）において、同一の幅Ｈ（矩形状の同一の幅）を有する。
第１及び第２外周平面７，８は、筒断面において、ノズル筒中心線αと直交する基準線βに対称に配置される。
【００１７】
第１及び第２外周平面７，８は、図４乃至図６に示すように、筒断面において、第１及び第２外周平面７，８の間に５０度以下の角度θ（鋭角）をなして、基準線β上の頂点γ（外周頂点）から幅Ｈ（面幅）を有して傾斜される。
第１及び第２外周平面７，８の間の角度θ（頂角）は、例えば、５０度以下３５度以上（５０°≧θ≧３５°）の範囲の任意の１の角度（例えば、５０°，４５°，４０°，３５°等）である。
【００１８】
第１外周平面７は、図６に示すように、筒断面において、基準線βから離間する一方向Ｐにおいて、基準線βに対し傾斜角度θ１をなして、頂点γから幅Ｈを有して傾斜される。
第１外周平面７及び基準線βの間の傾斜角度θ１は、角度θの半分（角度θの２分の１）の角度である［θ１＝（１／２）×θ］。
【００１９】
第２外周平面８は、図６に示すように、筒断面において、基準線βから離間する他方向Ｑにおいて、基準直線βに対し傾斜角度θ１をなして、頂点γから幅Ｈを有して傾斜される。
第２外周平面８は、筒断面において、第１外周平面７に対し角度θをなして、頂点γから幅Ｈを有して傾斜される。
【００２０】
第１外周平面７は、図６に示すように、筒断面において、幅Ｈ（面幅）の方向に両幅端７Ａ，７Ｂ（面幅端）を有し、第２外周平面８は、図６に示すように、筒断面において、幅Ｈ（面幅）の方向に両幅端８Ａ，８Ｂ（面幅端）を有する。
第１及び第２外周平面７，８の一方の幅端７Ａ，８Ａ（一方の面幅端）は、図６に示すように、筒断面において、第１及び第２外周平面７，８の間に５０度以下の角度θをなして、頂点γで交差される。
これにより、第１及び第２外周平面７，８の幅Ｈ（幅辺又は矩形状の短辺）は、図４乃至図６に示すように、筒断面において、頂点γ及び頂角θとする二等辺三角形の各等辺を構成して配置される。
【００２１】
第１及び第２外周平面７，８は、図１乃至図５に示すように、ノズル筒中心線αの方向ＬＮに長さＬ（矩形状の長さ）を有して、ノズル筒体１の両ノズル筒端１Ａ，１Ｂの間（一方のノズル筒端１Ａ及び他方のノズル筒端１Ｂの間）に延在（配置）される。  
【００２２】
他の外周面９は、図１乃至図８に示すように、筒断面において、基準線βに対称に配置される。他の外周面９は、筒断面において、第１及び第２外周平面７，８の他方の幅端７Ｂ，８Ｂ（他方の面端）に連続して、他方の幅端７Ｂ，８Ｂの間に配置（形成）される。
他の外周面９は、図１乃至図３に示すように、ノズル筒中心線αの方向ＬＮに長さＬを有して、ノズル筒体１の両ノズル筒端１Ａ，１Ｂの間に配置（形成）される。
【００２３】
第１閉塞体２、及び第２閉塞体３は、図１乃至図５、図７及び図８に示すように、ノズル筒体１の一方のノズル筒端１Ａ、及び他方のノズル筒端１Ｂを閉塞して、ノズル筒体１に取付けられる。第１及び第２閉塞体２，３は、各ノズル筒端１Ａ，１Ｂを閉塞して、ノズル筒体１内を密閉する。
【００２４】
気体導入穴４は、図５及び図７に示すように、第１閉塞体２に形成される。気体導入穴４は、気体導入穴４の穴中心線δを基準線βに位置（一致）して、他の外周面９側に配置される。
気体導入穴４は、図７に示すように、ノズル中心線αの方向ＬＮにおいて、第１閉塞体２を貫通して、ノズル筒体１内に開口される。
【００２５】
各ノズル穴５は、図１乃至図３、及び図６乃至図８に示すように、ノズル筒体１に形成される。各ノズル穴５は、ノズル筒体１内から気体（清浄空気）を噴射する。ノズル穴５の穴数ＮＨは、例えば、３４個である。
各ノズル穴５は、穴直径ｄの円形穴に形成される。ノズル穴５の穴直径ｄは、例えば、２．５ｍｍである（ｄ＝２．５ｍｍ）。
【００２６】
各ノズル穴５は、図６乃至図８に示すように、ノズル穴５の穴中心線τ（穴中心又は穴中心点）を第１及び第２外周平面７，８の交差する頂点γに位置（一致）して、ノズル筒体１の両ノズル筒端１Ａ，１Ｂの間に配置される。
【００２７】
各ノズル穴５は、図６に示すように、筒断面において、基準線βの方向ＶＮにノズル筒体１を貫通して、第１及び第２外周平面７，８（ノズル筒体１の外側）、ノズル筒体１内に開口される。
これにより、各ノズル穴５は、ノズル筒体１内に連通される。
【００２８】
各ノズル穴５は、図７及び図８に示すように、ノズル筒中心線αの方向ＬＮに第１穴間隔Ｋ１（穴間隔Ｋ１又は穴ピッチＫ１）を隔てて並列される。第１穴間隔Ｋ１は、例えば、３０ｍｍである（Ｋ１＝３０ｍｍ）。
【００２９】
各ノズル穴５のうち、最も一方のノズル筒端１Ａ側に位置するノズル穴５（以下、「一方筒端側・ノズル穴５」という）は、図７に示すように、ノズル筒中心線αの方向ＬＮにおいて、一方のノズル筒端１Ａから第２穴間隔Ｋ２を隔てて、ノズル筒体１に形成される。第２穴間隔Ｋ２は、第１穴間隔Ｋ２と同一又は異なる間隔である。第２穴間隔Ｋ２は、例えば、１０５ｍｍ（Ｋ２＝１０５ｍｍ）である。
【００３０】
各ノズル穴５のうち、最も他方のノズル筒端１Ｂ側に位置するノズル穴５は、図８に示すように、ノズル筒中心線αの方向ＬＮにおいて、他方のノズル筒端１Ｂから第３穴間隔Ｋ３を隔てて、ノズル筒体１に形成される。第１穴間隔Ｋ３は、第１及び第２穴間隔Ｋ１，Ｋ２と同一又は異なる間隔である。第３穴間隔Ｋ３は、例えば、１０５ｍｍである（Ｋ３＝１０５ｍｍ）である。
【００３１】
一方筒端側・ノズル穴５を除く、残りの各ノズル穴５は、図１乃至図３、図７及び図８に示すように、一方筒端側・ノズル穴５及び他方のノズル筒端１Ｂの間に配置されて、ノズル筒中心線αの方向ＬＮにおいて、各ノズル穴５の間に第１穴間隔Ｋ１（第１穴ピッチＫ１）を隔てて並列される。
【００３２】
噴射ノズル器Ｘにおいて、ノズル筒体１は、図１乃至図８に示すように、例えば、ノズル本体２１、及びノズル平板２２によって形成される。
【００３３】
ノズル本体２１は、板厚さＴＸ及び板長さＬであって、矩形状（長方形）の金属平板を曲げ加工して形成される。
ノズル本体２１は、図１乃至図８に示すように、曲げ加工によって形成した、第１及び第２傾斜平板部２５，２６、第１及び第２平板部２７，２８を有する。
【００３４】
第１及び第２傾斜平板部２５，２６は、図６に示すように、同一の板幅Ｈを有して、第１及び第２傾斜平板部２５，２６の間に５０度以下の角度θをなして形成される。
【００３５】
第１及び第２平板部２７，２８は、図１乃至図８に示すように、第１及び第２傾斜平板部２５，２６に連続して形成される。第１及び第２平板部２７，２８は、第１及第２傾斜平板部２５，２６に対して角度θ７をなして、曲げられて形成される。角度θ７は、（１８０°−θ）／２＋９０°の角度である。
【００３６】
ノズル本体２１は、図１乃至図８に示すように、曲げ加工によって、第１及び第２傾斜平板部２５，２６、第１及び第２平板部２７，２８を板長さＬ（ノズル筒長さL）にわたって形成する。ノズル本体２１は、第１及び第２平板部２７，２８の板端に開口される。
【００３７】
ノズル平板２２は、図１乃至図８に示すように、板厚さＴＹ及び板長さＬであって、矩形状（長方形）の金属平板で形成される。
ノズル平板２２は、図１乃至図８に示すように、第１及び第２平板部２７，２８の板端に固定されて、第１及び第１平板部２７，２８の板端の開口を閉塞する。ノズル平板２２は、ノズル本体２１の板長さＬの方向ＬＮにわたって配置される。
【００３８】
ノズル筒体１は、図１乃至図６に示すように、ノズル本体２１及びノズル平板２２によって形成することで、第１及び第２傾斜平板部２５，２６の外側平面に、第１及び第２外周平面７，８を形成し、第１及び第２平板部２７，２８の外側面及びノズル平板２２の外側面に、他の外周面９を形成する。
ノズル筒体は、基準線βの方向ＬＮ（ノズル筒中心線αと直交する方向ＬＮ）にノズル高さＶＰを有し、ノズル筒中心線α及び基準線βと直交する方向ＨＮ（ノズル幅方向）にノズル幅ＨＰを有して形成される。
ノズル高さＶＰは、図４に示すように、第１及び第２傾斜平板部２５，２６（第１及び第２外周平面７，８）の交差する頂点γ（外周頂点）と、ノズル平板２２の間の間隔である。ノズル幅ＨＰは、第１及び第２平板部２７，２８の間の間隔である。
【００３９】
噴射ノズル器Ｘは、図７に示すように、気体導入穴４（一方のノズル筒端１Ａ）から、又は一方のノズル筒端１Ａ側から気体がノズル筒体１内に導入（流入）される。ノズル筒体１内に導入（流入）された気体は、一方のノズル筒端１Ａから他方のノズル筒端１Ｂに流れて、ノズル筒体１内に充満される。ノズル筒体１内は、気体の導入（流入）に従って圧力が上昇されて、各ノズル穴５から気体が噴射される。
各ノズル穴５から噴射される気体は、図６に示すように、各ノズル穴５の穴中心線τの方向に噴射される。各ノズル穴の周りの気体（空気）は、各ノズル穴から噴射された気体の流れに引っ張れて、第１及び第２外周平面７，８に沿って頂点γ（穴中心線τ）に向けて流れて、各ノズル穴５から噴射される気体に合流される。各ノズル穴５から噴射される気体は、図６に示すように、第１及び第２外周平面７，８に沿って流れるノズル穴５の周りの気体の流れによって、穴中心線τから離れる方向に拡散することが抑制される。
これにより、噴射ノズル器Ｘは、各ノズル穴５から噴射される気体が、ノズル穴５の中心線τから離れる方向に拡散することを抑制して、穴中心線τの方向へ噴射される気体（空気）の流速（流量）を高めることができる。
【実施例】
【００４０】
噴射ノズル器Ｘの効果（流速）について、噴射試験を実施した。
【００４１】
（Ａ）噴射試験の形態  
噴射試験は、実施例１、実施例２、実施例３、実施例４、比較例１及び比較例２について実施した。
【００４２】
実施例１〜実施例４は、本考案に係る噴射ノズル器であって、ノズル筒体１をノズル本体２１及びノズル平板２２で構成した。
実施例１〜実施例４において、図１乃至図８に示すように、第１及び第２傾斜平板部２５，２６、第１及び第２平板部２７，２８を形成する金属平板の板厚さＴ＝１．０ｍｍとしてノズル筒体１を形成した。
実施例１〜実施例４のノズル筒体１は、筒長さＬ＝９９０．０ｍｍ、ノズル高さＶＰ＝６８．０ｍｍ、及びノズル幅ＨＰ＝３１．９ｍｍとした。
実施例１〜実施例４のノズル穴５は、穴直径ｄ＝２．５ｍｍ、穴数ＮＨ＝３４個とし、第１穴間隔Ｋ１＝３０．０ｍｍ、第２及び第２穴間隔Ｋ２＝Ｋ３＝１０５．０ｍｍとしてノズル筒体１に形成した。
実施例１の角度θは、θ＝５０°とした。
実施例２の角度θは、θ＝４５°とした。
実施例３の角度θは、θ＝４０°とした。
実施例４の角度θは、θ＝３５°とした。
【００４３】
比較例１は、図９、図１０及び図１４に示すように、一方のノズル筒端が開口され、他方のノズル筒端が閉塞された円筒状のノズル筒体１Ｘを備える噴射ノズル器である。
比較例１のノズル筒体１Ｘは、筒長さＬ＝９９０．０ｍｍ、外直径ＤＨ＝３０．０ｍｍ、及び内直径ｄｈ＝２７．６ｍｍとした。
比較例１のノズル穴５Ｘは、穴直径ｄＸ＝２．０ｍｍ、穴数ＮＨ＝３４個とし、第１穴間隔Ｋ１＝３０．０ｍｍ、第２及び第２穴間隔Ｋ２＝Ｋ３＝１０５．０ｍｍとしてノズル筒体１Ｘに形成した。
【００４４】
比較例２は、図１１、図１２及び図１５に示すように、一方のノズル筒端が開口され、他方のノズル筒端が閉塞された長方形の筒状のノズル筒体１Ｙを備える噴射ノズル器である。
比較例１のノズル筒体１Ｙは、筒長さＬ＝９９０．０ｍｍ、長方形の高さＶＦ＝３０．０ｍｍ、及び長方形の幅ＨＦ＝４０．０ｍｍ、厚さＴＰ＝１．０ｍｍとした。
比較例２のノズル穴５Ｙは、穴直径ｄＸ＝２．０ｍｍ、穴数ＮＨ＝３４個とし、第１穴間隔Ｋ１＝３０．０ｍｍ、第２及び第２穴間隔Ｋ２＝Ｋ３＝１０５．０ｍｍとしてノズル筒体１Ｙに形成した。
【００４５】
（Ｂ−）測定したノズル穴
実施例１〜実施例４、比較例１及び比較例２において、図３、図１０及び図１２に示すように、最も一方のノズル筒端側に位置するノズル穴５（５Ｘ，５Ｙ）、最も他方のノズル筒端側に位置するノズル穴５（５Ｘ，５Ｙ）、及びノズル筒中心線αの方向ＬＮの中心に位置するノズル穴５（５Ｘ，５Ｙ）の３穴について、空気の流速ＶＡ，ＶＢ（ｍ／ｓ）を測定した。
【００４６】
（Ｃ）噴射試験の測定方法
噴射試験の測定１は、図１３乃至図１５に示すように、ノズル穴５（５Ｘ，５Ｙ）の穴中心線τであって、ノズル穴５（５Ｘ，５Ｙ）から噴射される空気の流速ＶＡ（ｍ／ｓ）を測定した。測定１は、図１３乃至図１５に示すように、ノズル筒中心線αと直交する方向ＶＮにおいて、ノズル筒体１（１Ｘ，１Ｙ）から距離ＶＦ＝５０．０ｍｍだけ離した中心位置ＰＸにて流速（ｍ／ｓ）を測定した。
噴射試験の測定２は、図１３乃至図１５に示すように、ノズル筒中心線α及び基準線βと直交する方向ＨＮ（ノズル幅方向ＨＮ）にノズル穴５（５Ｘ，５Ｙ）の穴中心線τから距離Ｕを隔てた位置ＰＹ（以下、「離間位置ＰＹ」という）において、ノズル穴５（５Ｘ，５Ｙ）から噴射される空気の流速ＶＢ（ｍ／ｓ）を測定した。距離は、１０ｍｍ（Ｕ＝１０ｍｍ）とした。
測定２は、図１３乃至図１５に示すように、ノズル筒中心線αと直交する方向ＶＮにおいて、ノズル筒体１（１Ｘ，１Ｙ）から距離ＶＦ＝５０．０ｍｍだけ離した離間位置ＰＹにて流速ＶＢ（ｍ／ｓ）を測定した。
【００４７】
（Ｄ）各空気の流速ＶＡ、ＶＢ（ｍ／ｓ）の測定方法
噴射試験は、風速風量計ＳＴであって、例えば、株式会社テストの「風速風量計  ＴＥＳＴＯ４１６」を使用して、中心位置ＰＸ及び離間位置ＰＹの空気の流速ＶＡ，ＶＢ（ｍ／ｓ）を測定した。
実施例１〜実施例４、比較例１及び比較例２において、ノズル筒体１，１Ｘ，１Ｙの一方のノズル筒端から、ノズル筒体１，１Ｘ，１Ｙ内に空気を導入（流入）して充満した。
ノズル筒体１，１Ｘ，１Ｙへの空気の導入（流入）は、風速機（ブロアー）をノズル筒体１，１Ｘ，１Ｙの一方のノズル筒端に接続して、風速機の回転数ＴＵ＝２７１９０ｒｐｍとした。
【００４８】
（Ｅ）噴射試験の測定結果
実施例１〜実施例４（３つのノズル穴５の平均流速ＶＡ，ＶＢ）は、中心位置ＰＸの空気の流速ＶＡ＝１．６（ｍ／ｓ）、及び離間位置ＰＹの空気の流速ＶＢ＝０．５（ｍ／ｓ）未満であった。
比較例１（３つのノズル穴５Ｘの平均流速ＶＡ，ＶＢ）は、中心位置ＰＸの空気の流速ＶＡ＝１．２（ｍ／ｓ）、及び離間位置ＰＹの空気の流速ＶＢ＝０．７（ｍ／ｓ）であった。
比較例２（３つのノズル穴５Ｙの平均流速ＶＡ，ＶＢ）は、中心位置ＰＸの空気の流速ＶＡ＝１．２（ｍ／ｓ）、及び離間位置ＰＹの空気の流速ＶＢ＝０．８（ｍ／ｓ）であった。
【００４９】
実施例１〜実施例４は、離間位置ＰＹの空気の流速ＶＢ＝０．５（ｍ／ｓ）未満であり、比較例１及び比較例２は、離間位置ＰＹの空気の流速ＶＢ＝０．７（ｍ／ｓ）、０．８（ｍ／ｓ）であった。
これにより、実施例１〜実施例４は、比較例１及び比較例２に比して、ノズル穴５の穴中心線τから離れる方向への空気の拡散が抑制されている。
実施例１〜実施例４では、ノズル穴５から空気を噴射することで、ノズル穴５の周りの空気は、第及び第２外周平面７，８に沿って穴中心線τに向けて流れて、ノズル穴５から噴射された空気に合流したものである。
このことは、ノズル穴５から噴射された空気は、第１及び第２外周平面７，８に沿って穴中心線τに向けて流れるノズル穴５の周りの空気の流れによって、穴中心線τから離れる方向に拡散することが抑制されたと認められる。
【００５０】
実施例１〜実施例４は、中心位置ＰＸの空気の流速ＶＡ＝１．６（ｍ／ｓ）であり、比較例１及び比較例２は、中心位置ＰＸの空気の流速ＶＡ＝１．２（ｍ／ｓ）であった。
これにより、実施例１〜実施例４は、比較例１及び比較例２に比して、ノズル穴の穴中心線αの方向への空気の流速ＶＡ（ｍ／ｓ）が高められている。
実施例１〜実施例４では、各ノズル穴５から均等な流速ＶＡ（ｍ／ｓ）にて空気が噴射されている。
【００５１】
噴射試験の結果によれば、実施例１〜実施例４のように、第１及び第２外周平面７，８を５０度以下（５０度以上、３５度以下）の角度θで傾斜することで、ノズル穴５から噴射される空気は、穴中心線τから離れる方向に拡散することが抑制されて、ノズル穴５の穴中心線τの方向ＶＮへ噴射される空気（気体）の流速ＶＡ（ｍ／ｓ）を高めることをできる。
【００５２】
本考案に係る第１及び第２実施形態の飛沫遮断装置について、図１６乃至図３５を参照して説明する。
なお、図１６乃至図３５において、図１乃至図８と同一符号は、同一部材、同一構成であるので、その詳細な説明は省略する。
【００５３】
第１実施形態の飛沫遮断装置について、図１６乃至図２８を参照して説明する。
【００５４】
図２８において、第１実施形態の飛沫遮断装置Ｙ１（以下、「飛沫遮断装置Ｙ１」という）は、複数の人の間に配置されて、噴射ノズル器Ｘを用いて、人の口や鼻からの飛沫を遮断する。
【００５５】
図１６乃至図２８において、飛沫遮断装置Ｙ１は、噴射ノズル器Ｘ、吸込み筒体４１、空気清浄機４２、フード４３（第１フード板４４、第２フード板４５）を備える。
【００５６】
飛沫遮断装置Ｙ１において、噴射ノズル器Ｘは、図１乃至図８で説明したと同様に、ノズル筒体１、第１及び第２閉塞体２，３、気体導入穴４、及び複数のノズル穴５を備える。
飛沫遮断装置Ｙ１において、ノズル筒体１は、例えば、ノズル本体２１及びノズル平板２２によって形成される。
【００５７】
吸込み筒体４１は、図１６乃至図１９、図２１及び図２２に示すように、一方の吸込み筒端４１Ａが閉塞され、及び他方の吸込み筒端４１Ｂが開口された筒状（筒状の直方体）に形成される。吸込み筒体４１は、例えば、金属平板によって筒状の直方体に形成される。吸込み筒体４１は、吸込み筒中心線ａの方向ＬＮに吸込み筒長さＬ５を有する。
吸込み筒体４１は、図２１に示すように、吸込み筒中心線ａと（吸込み筒中心線ａの方向ＬＮ）と直交する筒高さ方向ＶＮに吸込み高さＴ５、吸込み筒中心線ａ（吸込み筒中心線ａの方向ＬＮ）及び高さ方向ＶＮと直交する筒幅方向ＨＶに吸込み筒幅Ｈ５を有する。
吸込み筒体４１の吸込み筒長さＬ５は、ノズル筒長さＬより長い筒長さを有する。吸込み筒長さＬ５は、例えば、１２００．０ｍｍである（Ｌ５＝１２００ｍｍ）。吸込み高さＴ５は、例えば、１３０．０ｍｍである（Ｔ５＝１３０．０ｍｍ）である。吸込み筒幅Ｈ５は、１７０．０ｍｍである（Ｈ５＝１７０．０ｍｍ）である。
【００５８】
吸込み筒体４１は、図１７、及び図２０乃至図２４に示すように、吸込み筒体４１内に空気を流入する複数の吸込み穴４８を有する。吸込み穴４８の穴直径ｄｘは、例えば、３．０ｍｍである（ｄＸ＝３．０ｍｍ）である
各吸込み穴４８は、筒高さ方向ＶＨにおいて、一方の平板４９（以下、「底平板４９」という）に配置される。各吸込み穴４８は、底平板４９において、穴領域ＨＡに配置される。
穴領域ＨＡは、図２２に示すように、吸込み筒中心線ａの方向ＬＮにおいて、一方の吸込み筒端４１Ａに第１長さ間隔Ｍ１、及び他方の吸込み筒端４１Ｂに第２長さ間隔Ｍ２を隔てて、及び吸込み筒中心線ａと直交する筒幅方向ＨＶにおいて、両吸込み筒幅端４１Ｃ，４１Ｄに幅間隔Ｍ３を隔てて、底平板４９に区画される矩形状（長方形）の領域である。
第１長さ間隔Ｍ１は、例えば、７１．０ｍｍ（Ｍ１＝７１．０ｍｍ）、第２長さ間隔Ｍ２は、例えば、７１．０ｍｍ（Ｍ２＝７１．０ｍｍ）、及び幅間隔Ｍ３は、例えば、４８．０ｍｍ（Ｍ３＝４８．０ｍｍ）である。
【００５９】
各吸込み穴４８は、図２２及び図２３に示すように、穴領域ＨＡ（底平板４９）において、吸込み中心線ａの方向ＬＮ及に複数列ｅ１，ｅ２，ｅ３，…、及び筒幅方向ＨＶに複数行ｆ１，ｆ２，ｆ３，…に千鳥配列される。
各吸込み穴４８は、吸込み中心線ａの方向ＬＮに穴列間隔Ｎ１（穴列ピッチＮ１）を隔てて複数列ｃ１，ｃ２，ｃ３，…に配列され、及び筒幅方向ＨＶに穴行間隔Ｎ２（穴行ピッチＮ２）を隔てて配列される。
穴列間隔Ｎ１は、例えば、５．０ｍｍ（Ｎ１＝５．０ｍｍ）、穴行間隔Ｎ２は、例えば、５．０ｍｍ（Ｎ２＝５．０ｍｍ）である。
【００６０】
各吸込み穴４８は、図２４に示すように、筒高さ方向ＶＮにおいて、吸込み筒体４１（底平板４９）を貫通して、吸込み筒体４１内及び吸込み筒体４１外に開口される。
【００６１】
吸込み筒体４１は、図１６乃至図２０に示すように、各吸込み穴４８をノズル筒体１（噴射ノズル器Ｘ）のノズル穴５（第１及び第２外周平面７，８）に向けて配置される。吸込み筒体４１は、噴射ノズル器Ｘの基準線βの方向ＶＮ（ノズル筒中心線αと直交する方向ＬＶ）において、ノズル筒体１（第１及び第２外周平面７，８の交差する頂点γ）に流れ空間ＰＲ（流れ間隔ＰＲ）を隔てて配置される。吸込み筒体４１は、各吸込み穴４８の吸込み穴中心線ｇ（吸込み穴中心又は吸込み穴中心点）を基準線βの方向ＶＮに向けて、各ノズル穴５（第１及び第２外周平面７，８）に対向（対峙）して配置される。
吸込み筒体４１は、基準線βの方向ＶＮにおいて、吸込み筒中心線ａを、ノズル筒中心線αに並列（ノズル中心線αに一致）して、ノズル筒体１に平行に配置される。
これにより、ノズル筒体１（噴射ノズル器Ｘ）の各ノズル穴５は、流れ空間ＰＲに開口され、吸込み筒体４１の各吸込み穴４８は、流れ空間ＰＲに開口される。
各ノズル穴５及び各吸込み穴４８は、流れ間隔ＰＲを隔てて対向（対峙）される。流れ間隔ＰＲは、例えば、９００〜１１０ｍｍ（ＰＲ＝９００ｍｍ〜１１００ｍｍ）である。
【００６２】
吸込み筒体４１は、図１６及び図１８に示すように、吸込み筒長さＬ５の筒中心点ｈを、ノズル筒体１のノズル筒長さＬの筒中心点ｉに位置（一致）して、ノズル筒体１に平行に配置される。
吸込み筒長さＬ５の筒中心点ｈは、各吸込み筒端４１Ａ，４１Ｂの間において、吸込み筒中心線ａの真中（中心又は中央）に位置する点である。
ノズル筒長さＬの筒中心点ｉは、各ノズル筒端１Ａ，１Ｂの間において、ノズル筒中心線αの真中（中心又は中央）に位置する点である。
【００６３】
空気清浄機４２は、図１６乃至図１９に示すように、ノズル筒体１（噴射ノズル器Ｘ）の一方のノズル筒端１Ａ（気体導入穴４）、及び吸込み筒体４１の他方の吸込み筒端４１Ｂに接続される。空気清浄機４２は、外気の空気及び吸込み筒体４１内の空気を吸引及び清浄して、清浄空気をノズル筒体１内（噴射ノズル器Ｘ内）に吐出する。
【００６４】
空気清浄機４２及びノズル筒体１は、図１６乃至図１９に示すように、給気管５１にて接続される。給気管５１は、ノズル筒体１の一方のノズル筒端１Ａであって、気体導入穴４に一方の給気管端５１Ａを接続して、清浄空気をノズル筒体１内に流入（導入）する。空気清浄機４２は、給気管５１の他方の給気管端５１Ｂに接続される。
【００６５】
空気清浄機４２及び吸込み筒体４１は、図１６乃至図１９に示すように、排気管５２にて接続される。排気管５２は、吸込み筒体４１の他方の吸込み筒端４１Ｂに一方の排気管端５２Ａを接続して、吸込み筒体４１内から空気を流出する。空気清浄機４２は、排気管５２の他方の排気管端５２Ｂに接続される。
【００６６】
空気清浄機４２は、図２５及び図２６に示すように、収納ケース５５、清浄フィルタ５６、吸引用の羽根車５７、及び駆動モータ５８を備える。
【００６７】
収納ケース５５は、図２６に示すように、吸引室５９及び吐出室６０区画され、吸引口６１、吐出口６２及び外気取入口６３を有する。吸引口６１は、吸引室５９に開口して、収納ケース５５の外側に設けられる。吸引口６１には、排気管５２の他方の排気管端５２Ｂが接続される。吐出口６２は、吐出室６０に開口して、収納ケース５５の外側に設けられる。吐出口６２には、給気管５１の他方の給気管端５１Ｂに接続される。外気取入口６３は、収納ケース５５に形成されて、吸引室５９を収納ケース５５の外側に連通する。
【００６８】
清浄フィルタ５６は、図２６に示すように、吸引室５９内に配置される。清浄フィルタ５６は、吸引室５９において、吸引口６１及び外気取入口６３の間に配置される。
羽根車５７は、吸引室５９の清浄フィルタ５６に並列して、吐出室６０内に配置される。駆動モータ５８は、羽根車５７に連結されて、羽根車５７を回転する。
【００６９】
空気清浄機４２は、図２５及び図２６に示すように、駆動モータ５８の駆動によって羽根車５７を回転することで、吸引口６１から排気管５２内（吸込み筒体４１内）の空気を吸引室５９に吸引し、及び外気取入口６３から外気の空気を吸引室５９に吸引する。
空気清浄機４２において、吸引室５９に吸引された空気（排気管５２内の空気、及び外気の空気）は、羽根車５７の回転によって、清浄フィルタ５６内を通過して、羽根車５７に流れて、吐出口６２から給気管５１（ノズル筒体１）に吐出される。吸引された空気は、清浄フィルタ５６によって清浄されて、吐出口６２から給気管５１（ノズル筒体１）に流出（導入）される。
【００７０】
フード４３は、図１６乃至図２０に示すように、第１フード板４４及び第２フード板４５を有する。
【００７１】
第１フード板４４は、図１６乃至図２０に示すように、吸込み筒体４１の一方の吸込み筒幅端４１Ｃに固定される。第２フード板４５は、図１６、図１７、図１９及び図２０に示すように、吸込み筒体４１の他方の吸込み筒幅端４１Ｄに固定される。
第１及び第２フード板４４，４５は、吸込み筒中心線ａの方向ＬＮにおいて、両吸込み筒端４１Ａ，４１Ｂの間に延在して配置される。
【００７２】
第１フード板４４は、図１９に示すように、一方の吸込み筒幅端４１Ｃに鋭角θ３（例えば、θ３＝６０度）をなして、一方の吸込み筒幅端４１Ｃから第２フード板４５に離間しつつノズル筒体１に向けて延在される。第１フード板４４は、鋭角θ３でノズル筒体１に向けて傾斜されて、基準線βの方向ＶＮ（ノズル筒中心線αと直交する方向ＬＮ）において、ノズル筒体１にフード板間隔ＲＳを隔てて配置される。
【００７３】
第２フード板４５は、図１９に示すように、他方の吸込み筒幅端４１Ｄに鋭角θ３をなして、他方の吸込み筒幅端４１Ｄから第１フード板４４に離間しつつノズル筒体１に向けて延在される。第２フード板４５は、鋭角θ３でノズル筒体１に向けて傾斜されて、基準線βの方向ＶＮ（ノズル筒中心線αと直交する方向ＬＮ）において、ノズル筒体１にフード板間隔ＲＳを隔てて配置される。フード板間隔ＲＳは、例えば、８００ｍｍ（ＲＳ＝８００ｍｍ）である。
【００７４】
飛沫遮断装置Ｙ１は、図２７及び図２８に示すように、複数の人が対面するテーブル９０に設置される。飛沫遮断装置Ｙ１において、ノズル筒体１（噴射ノズル器Ｘ）は、ノズル平板２２をテーブル９０のテーブル板９１に当接して、テーブル板９１上に載置される。ノズル筒体１は、ノズル筒中心線αをテーブル９０の長手方向ＬＴに向けて、テーブル９０の幅方向ＬＨの中央に配置される。ノノズル筒体１は、ノズル平板２２をテーブル板９１に固定して配置される。
【００７５】
飛沫遮断装置Ｙ１において、ノズル筒体１（噴射ノズル器Ｘ）をテーブル板９１に固定すると、吸込み筒体４１は、図２７及び図２８に示すように、ノズル筒中心線αと直交する方向ＶＮ（基準線βの方向ＶＮ）に流れ間隔ＰＲを隔ててノズル筒体１に平行に配置されて、複数の人の上方に位置される。第１及び第２フード板４４，４５は、ノズル筒中心線αと直交する方向ＬＮにフード板間隔ＲＳを隔てて、複数の人の上方に位置される。空気清浄機４２は、テーブル９０の脇に設置される。
【００７６】
複数の人は、図２８に示すように、テーブル９０の幅方向ＬＨにおいて、各人の間に飛沫遮断装置Ｙ１（ノズル筒体１及び吸込み筒体４１）を配置して、テーブル９０の各幅端９０Ａ，９０Ｂ側に起立等する。複数の人は、ノズル筒中心線αと直交する方向ＶＮにおいて、ノズル筒体１（噴射ノズル器Ｘ）と、第１及び第２フード板４４，４５の間に位置して、人の顔を対面する。
【００７７】
飛沫遮断装置Ｙ１は、空気清浄機４２の駆動モータ５８を駆動する。空気清浄機４２は、図２６に示すように、駆動モータ５８の駆動によって羽根車５７を回転して、外気取入口６３から外気の空気を吸引し、及び吸引室５９の空気を吸引する。
これにより、空気清浄機４２は、図２７及び図２８に示すように、吸引室５９、排気管５２を通して、他方の吸込み筒端４１Ｂから吸込み筒体４１内の空気を吸引する。吸込み筒体４１は、空気清浄機４２の吸引によって、流れ空間ＰＲの空気を各吸込み穴４８から吸込んで、他方の吸込み筒端４１Ｂから排気管５２に流出する。
空気清浄機４２において、吸引室５９に吸引された空気（吸込み筒体４１内の空気、及び外気の空気）は、図２６に示すように、清浄フィルタ５６を通って吐出室６０に流出される。吐出室６０に流出する空気は、清浄フィルタ５６によって飛沫が捕捉されて、清浄空気となる。
【００７８】
飛沫遮断装置Ｙ１において、空気清浄機４２は、羽根車５７の回転によって、清浄空気を給気管５１に吐出する。給気管５１に吐出された清浄空気は、図２７及び図２８に示すように、給気管５１を流れて、一方のノズル筒端１Ａ（気体導入穴４）からノズル筒体１内に流出（導入）される。清浄空気は、一方のノズル筒端１Ａから他方のノズル筒端１Ｂに向けてノズル筒体１内を流れて充満される。
ノズル筒体１内は、図６に示すように、清浄空気の導入（流入）に従って圧力が上昇されて、各ノズル穴５から清浄空気が噴射される。各ノズル穴５は、清浄空気を吸込み筒体４１に向けて流れ空間ＰＲに噴射する。
【００７９】
各ノズル穴５から噴射された清浄空気は、図６に示すように、第１及び第２外周平面７，８によって各ノズル穴５周りの空気を引っ張り込んで、吸込み筒体４１に向けて流れる。
【００８０】
流れ空間ＰＲに噴射された空気は、図２７及び図２８に示すように、空気清浄機４２の吸引によって、吸込み筒体４１に向けて流れて、各吸込み穴４８から吸込み筒体４１内に吸込まれる。
これにより、飛沫遮断装置Ｙ１は、図２７及び図２８に示すように、清浄空気がノズル筒体１（噴射ノズル器Ｘ）から吸込み筒体４１に向けて流れるエアーカーテンＣＡを流れ空間ＰＲに形成する。エアーカーテンＣＡは、ノズル筒中心線αの方向ＬＮにカーテン幅を有して、ノズル筒体１から吸込み筒体４１に向けて流れる。
第１及び第２フード板４４，４５は、エアーカーテンＣＡに流れる空気を遮断して、エアーカーテンＣＡの流れの乱れを抑制する。
【００８１】
飛沫遮断装置Ｙ１は、図２７及び図２８に示すように、流れ空間ＰＲ（複数の人の間）にエアーカーテンＣＡを形成することで、複数の人の口や鼻からの飛沫をエアーカーテンＣＡで遮断して、飛沫が対面する人に飛散することを防止する。複数の人の口や鼻からの飛沫は、エアーカーテンＣＡにて捕捉されて、エアーカーテンＣＡの流れによって、各吸込み穴４８から吸込み筒体４１内に吸込まれる。
飛沫遮断装置Ｙ１では、噴射ノズル器を用いることで、各ノズル穴から噴射される清浄空気が、穴中心線τから離れる方向に拡散することを抑制しつつ、各ノズル穴５から吸込み筒体に向けて噴射される清浄空気の流速（流量）を高めることができ、確実に、エアーカーテンを流れ空間に形成することが可能となる。
【００８２】
飛沫遮断装置Ｙ１では、吸込み筒体４１をテーブル９０に設置（テーブル板９１に固定）し、複数の人の上方にノズル筒体１（噴射ノズル器Ｘ）を位置する構成も採用できる。
【００８３】
飛沫遮断装置Ｙ１において、吸込み筒体４１は、１つの吸込み穴を有する構成も採用でき、例えば、長方形に形成された長尺の吸込み穴である。長尺の吸込み穴は、吸込み筒中心線ａの方向ＬＮに延在されて、両吸込み筒端４１Ａ，４１Ｂの間の底平板４９に形成される。吸込み筒体４１は、長尺の吸込み穴をノズル筒体１の各ノズル穴５に向けて、ノズル筒体１に平行に配置される。
【００８４】
第２実施形態の飛沫遮断装置について、図２９乃至図３５を参照して説明する。
なお、図２９乃至図３５において、図１乃至図２８と同一符号は、同一部材、同一構成であるので、その詳細な説明は省略する。
【００８５】
図３５において、第２実施形態の飛沫遮断装置Ｙ２（以下、「飛沫遮断装置Ｙ２」という）は、複数の人の間に配置されて、噴射ノズル器Ｘを用いて、人の口や鼻からの飛沫を遮断する。
【００８６】
図２９乃至図３５において、飛沫遮断装置Ｙ２は、噴射ノズル器Ｘ、吸込み筒体７１、空気清浄機４２、及び円錐台フード７２を備える。
【００８７】
飛沫遮断装置Ｙ２において、噴射ノズル器Ｘは、図１乃至図８で説明したと同様に、ノズル筒体１、第１及び第２閉塞体２，３、気体導入穴４、及び複数のノズル穴５を備える。飛沫遮断装置Y２において、ノズル筒体１は、例えば、ノズル本体２１及びノズル平板２２によって形成される。
【００８８】
吸込み筒体７１は、図２９乃至図３３に示すように、一方の吸込み筒端７１Ａ及び他方の吸込み筒端７１Ｂに開口される吸込み穴７３を有する。吸込み筒体７１は、一方の吸込み筒端７１Ａから空気を吸込み穴７３に流入する。
吸込み筒体７１は、例えば、円形の吸込み穴７３を有する円筒管（吸込み管７１）に形成される。吸込み筒体７１は、一方の吸込み筒端７１Ａをノズル筒体１（噴射ノズル器Ｘ）のノズル筒長さＬより小径に形成される。
【００８９】
吸込み筒体７１は、図２９乃至図３３に示すように、一方の吸込み筒端７１Ａを、ノズル筒体１（噴射ノズル器Ｘ）のノズル穴５（第１及び第２外周平面７，８）に向けて配置される。吸込み筒体７１は、噴射ノズル器Ｘの基準線βの方向ＶＮ（ノズル筒中心線αと直交する方向ＶＮ）において、一方のノズル吸込み筒端７１Ａ及びノズル筒体１（第１及び第２外周平面７，８の交差する頂点γ）の間に流れ空間ＰＲ（流れ間隔ＰＲ）を隔てて配置される。吸込み筒体７１は、一方の吸込み筒端７１Ａにおける吸込み穴７３（一方の吸込み筒端７１Ａに位置する吸込み穴７３）の吸込み穴中心線ｓ（吸込み穴中心又は吸込み穴中心点）をノズル筒中心線α（頂点γ）に位置（一致）して、一方の吸込み筒端７１をノズル穴５に対向（対峙）して配置される。
【００９０】
吸込み筒体７１は、図２９乃至図３１に示すように、一方の吸込み筒端７１Ａにおける吸込み穴７３の吸込み穴中心線ｓを、ノズル筒体１のノズル筒長さＬの筒中心点ｉで基準線βの方向に位置（一致）して配置される。
【００９１】
飛沫遮断装置Ｙ２において、空気清浄機４２は、図２９乃至図３３に示すように、ノズル筒体１（噴射ノズル器Ｘ）の一方のノズル筒端１Ａ（気体導入穴４）及び吸込み筒体４１の他方の吸込み筒端４１Ｂに接続される。空気清浄機４２は、外気の空気、及び吸込み筒体７１内の空気を吸引及び清浄して、清浄空気をノズル筒体１内（噴射ノズル器Ｘ内）に吐出する。
飛沫遮断装置Ｙ２において、空気清浄機４２及びノズル筒体１は、給気管５１にて接続される。
【００９２】
飛沫遮断装置Ｙ２において、空気清浄機４２は、駆動モータ５８の駆動によって羽根車５７を回転することで、吸引口６１から吸込み筒体４１内（吸込み穴７３内）の空気を吸引室５９に吸引し、及び外気取入口６３から外気の空気を吸引室５９に吸引する。
空気清浄機４２において、吸引室５９に吸引された空気（吸込み穴７３内の空気、及び外気の空気）は、羽根車５７の回転によって、清浄フィルタ５６内を通過して、羽根車５７に流れて、吐出口６２から給気管５１（ノズル筒体１）に吐出される。吸引された空気は、清浄フィルタ５６によって清浄されて、吐出口６２から給気管５１（ノズル筒体１）に流出（導入）される。
【００９３】
円錐台フード７２は、図２９乃至図３３に示すように、両方のフード筒端７２Ａ，７２Ｂが開口され、一方のフード筒端７２Ａから他方のフード筒端７２Ｂに向けて段々に縮径する円錐台の筒状に形成される。円錐台フード７２は、一方のフード筒端７２Ａをノズル筒体１（噴射ノズル器Ｘ）のノズル筒長さＬより大径に形成した円錐台筒体である。一方のフード筒端７２Ａの筒端直径ＤＸは、例えば、ノズル筒長さＬ＝９９０ｍｍに対して、１０５０ｍｍ（ＤＸ＝１０５０ｍｍ）である。
【００９４】
円錐台フード７２は、図２９乃至図３３に示すように、一方のフード筒端７２Ａをノズル筒体１（噴射ノズル器Ｘ）のノズル穴５に向けて、吸込み筒体７１の一方の吸込み筒端７１Ａ及びノズル筒体１の間に配置される。円錐台フード７２は、吸込み筒体４１の一方の吸込み筒端７１Ａにおける吸込み穴７３の吸込み穴中心線ｓと同心に配置される。円錐台フード７２は、他方のフード筒端７２Ｂを一方の吸込み筒端４１Ｂに接続して、吸込み筒体４１に固定され、及び吸込み穴７３（吸込み筒体７１内）に連通される。
円錐台フード７２は、ノズル筒中心線αと直交する方向ＬＮ（基準線βの方向ＬＮ）において、一方のフード筒端７２Ａ及びノズル筒体１（噴射ノズル器Ｘ）の間にフード間隔ＲＵ（フード間隔）を隔てて配置される。フード間隔ＲＵは、例えば、６５０ｍｍ〜８５０ｍｍ（ＲＵ＝６５０ｍｍ〜８５０ｍｍ）である。
【００９５】
飛沫遮断装置Ｙ２は、図３４及び図３５に示すように、複数の人が対面するテーブル９０に設置される。飛沫遮断装置Ｙ２において、ノズル筒体１（噴射ノズル器Ｘ）は、図２７及び図２８で説明したと同様に、ノズル平板２２をテーブル９０（テーブル板９１）に固定して配置される。
【００９６】
飛沫遮断装置Ｙ２において、ノズル筒体１（噴射ノズル器Ｘ）をテーブル板９１に固定すると、吸込み筒体７１は、図３４及び図３５に示すように、ノズル筒中心線αと直交する方向ＬＮにおいて、一方の吸込み筒端７１Ａ及びノズル筒体１の間に流れ空間ＰＲ（流れ間隔）を隔てて配置されて、複数の人の上方に位置される。
【００９７】
複数の人は、図３５に示すように、テーブル９０の幅方向ＨＬにおいて、各人の間に飛沫遮断装置Ｙ２（噴射ノズル器Ｘ、及び一方の吸込み筒端７１Ａ）を配置して、テーブル９０の各幅端９０Ａ，９０Ｂ側に着座等する。複数の人は、ノズル筒中心線αと直交する方向ＶＮ（基準線βの方向ＶＮ）において、ノズル筒体１及び円錐台フード７２の間に位置される。
これにより、複数の人は、流れ空間ＰＲの間に位置して、人の顔を対面する。
【００９８】
飛沫遮断装置Ｙ２は、空気清浄機４２の駆動モータ５８を駆動する。空気清浄機４２は、図２６に示すように、駆動モータ５８の駆動によって羽根車５７を回転して、外気取入口６３から外気の空気を吸引し、及び吸引室５９の空気を吸引する。
これにより、空気清浄機４２は、図３４及び図３５に示すように、吸引室５９を通して、他方の吸込み筒端７１Ｂから吸込み筒体７１内（吸込み穴７３）の空気を吸引する。吸込み筒体７１は、空気清浄機４２の吸引によって、流れ空間ＰＲの空気を一方の吸込み筒端７１Ａから吸込み穴７３に吸込んで、他方の吸込み筒端７１Ｂから空気清浄機４２（吸引室５９）に流出する。
空気清浄機４２において、吸引室５９に吸引された空気（吸込み穴７３内の空気、及び外気の空気）は、図２６に示すように、清浄フィルタ５６を通って吐出室６０に流出される。吐出室６０に流出する空気は、清浄フィルタ５６によって飛沫が捕捉されて、清浄空気となる。
【００９９】
飛沫遮断装置Ｙ２において、空気清浄機４２は、羽根車５７の回転によって、清浄空気を給気管５１に吐出する。給気管５１に吐出された清浄空気は、図３４及び図３５に示すように、給気管５１を通って、一方のノズル筒端１Ａ（気体導入穴４）からノズル筒体１内に流出（導入）される。清浄空気は、一方のノズル筒端１Ａから他方のノズル筒端１Ｂに向けてノズル筒体１内を流れて充満される。
ノズル筒体内は、図６に示すように、清浄空気の導入（流入）に従って圧力が上昇されて、各ノズル穴５から清浄空気が噴射される。各ノズル穴５は、清浄空気を吸込み筒体４１に向けて流れ空間ＰＲに噴射する。
【０１００】
各ノズル穴５から噴射された清浄空気は、図６に示すように、第１及び第２外周平面７，８によって各ノズル穴５周りの空気を引っ張り込んで、吸込み筒体７１に向けて流れる。
【０１０１】
流れ空間ＰＲに噴射された清浄空気は、一方のフード筒端７２Ａから円錐台フード７２内に流入して、円錐台フード７２に沿って流れて、一方の吸込み筒端７１Ａから吸込み穴７３内（吸込み筒体７１内）に吸込まれる。
これにより、飛沫遮断装置Ｙ２は、図３４及び図３５に示すように、清浄空気がノズル筒体１（噴射ノズル器Ｘ）から吸込み筒体７１に流れるエアーカーテンＣＡを流れ空間ＰＲ（フード間隔ＲＵに位置する流れ空間ＰＲ）に形成する。エアーカーテンＣＡは、ノズル筒中心線αの方向ＬＮにカーテン幅を有して、ノズル筒体１から吸込み筒体７１に向けて流れる。
【０１０２】
飛沫遮断装置Ｙ２は、図３４及び図３５に示すように、流れ空間ＰＲ（複数の人の間）にエアーカーテンＣＡを形成することで、複数の人の口や鼻からの飛沫をエアーカーテンＣＡで遮断して、飛沫が対面する人に飛散することを防止する。複数の人の口や鼻からの飛沫は、エアーカーテンＣＡにて捕捉されて、エアーカーテンＣＡの流れによって、一方の吸込み筒端７１Ａから各吸込み穴７３（吸込み筒体７１内）に吸込まれる。
飛沫遮断装置Ｙ２では、噴射ノズル器を用いることで、各ノズル穴５から噴射される清浄空気が穴中心線τから離れる方向に拡散することを抑制しつつ、各ノズル穴５から吸込み筒体に向けて噴射される清浄空気の流速（流量）を高めることができ、確実に、エアーカーテンを流れ空間に形成することが可能となる。
【産業上の利用可能性】
【０１０３】
本考案は、ノズル穴の穴中心線の方向へ噴射する気体の流速を固めるのに最適である。
【符号の説明】
【０１０４】
Ｘ  噴射ノズル器
１  ノズル筒体
１Ａ  一方のノズル筒端
１Ｂ  他方のノズル筒端
５  ノズル穴
７  第１外周平面
８  第２外周平面
９  他の外周面
α  ノズル筒中心線
β  基準線
τ  穴中心線
γ  頂点
θ  角度（鋭角）
Ｈ  矩形状の幅（面幅）
Ｌ  矩形状の長さ（面長さ）
ＬＮ  ノズル筒中心線の方向
ＶＮ  基準線の方向（ノズル筒中心線と直交する方向）
Ｋ１  第１穴間隔（穴間隔）
【図１】
0003231869.tif 000003
【図２】
0003231869.tif 000004
【図３】
0003231869.tif 000005
【図４】
0003231869.tif 000006
【図５】
0003231869.tif 000007
【図６】
0003231869.tif 000008
【図７】
0003231869.tif 000009
【図８】
0003231869.tif 000010
【図９】
0003231869.tif 000011
【図１０】
0003231869.tif 000012
【図１１】
0003231869.tif 000013
【図１２】
0003231869.tif 000014
【図１３】
0003231869.tif 000015
【図１４】
0003231869.tif 000016
【図１５】
0003231869.tif 000017
【図１６】
0003231869.tif 000018
【図１７】
0003231869.tif 000019
【図１８】
0003231869.tif 000020
【図１９】
0003231869.tif 000021
【図２０】
0003231869.tif 000022
【図２１】
0003231869.tif 000023
【図２２】
0003231869.tif 000024
【図２３】
0003231869.tif 000025
【図２４】
0003231869.tif 000026
【図２５】
0003231869.tif 000027
【図２６】
0003231869.tif 000028
【図２７】
0003231869.tif 000029
【図２８】
0003231869.tif 000030
【図２９】
0003231869.tif 000031
【図３０】
0003231869.tif 000032
【図３１】
0003231869.tif 000033
【図３２】
0003231869.tif 000034
【図３３】
0003231869.tif 000035
【図３４】
0003231869.tif 000036
【図３５】
0003231869.tif 000037